(57)【要約】【課題】掘削した土の壁に沿って設けた矢板などの鋼杭にセパレータボルトを連結するのに用いる連結金具に関し、連結金具のボルトを防水シートに挿通する作業が容易で、かつ座板にボルトを立設するときに、溶接の熱によってボルトの焼きが戻ることのない構造のセパレータボルト連結金具を得る。【解決手段】セパレータボルト１４と等しい呼び径のナット２を座板１に溶接して、そのナットにセパレータボルトと同径の焼入れ鋼材で製作したスタッド３を螺合して立設することにより、上記課題を解決している。防水シート１３の貫通部に設ける止水用のゴムパッキンは、スタッド３を挿通する内孔５ａとナット２を囲むように形成されたラッパ状の拡開部５ｂと、この拡開部の大径側端部から平面に広がる押え面５ｃとをプレス成形により形成したパッキン押え５で固定する。【選択図】      図２
2006299561.tif 000002
【特許請求の範囲】
【請求項１】
土留用の鋼杭に溶接される座板(1)と、この座板の中央に端面を溶接されたナット(2)と、このナットに螺合されるスタッド(3)と、プレス成形したパッキン押え(5)とを備え、このパッキン押えは、前記スタッドに挿通される内孔(5a)と、前記ナットを包囲する拡開部(5b)と、この拡開部の大径端から平面に展開して前記座板に対向する押え面(5c)とを備えている、セパレータボルト連結金具。
【発明の詳細な説明】
【技術分野】
【０００１】
この発明は、掘削した土の壁に沿ってコンクリート壁を構築する際に、コンパネなどの型枠パネルと矢板などの鋼杭とをセパレータボルトで連結するために鋼杭に溶着される連結金具の構造に関するものである。
【背景技術】
【０００２】
地面を掘削してその掘削壁に沿って建物の地下部分やプールの外壁を構築する工法として、以下の手順で施工する工法が用いられている。
【０００３】
まず、座板の中央にボルトを植立した連結金具を準備し、掘削壁に沿って配置した山留用の鋼杭に所定間隔で連結金具の座を溶接する。次に、掘削壁に添わせて防水シートを添設する。このとき、連結金具に立設したボルトに防水シートを押し付けて、防水シートを貫通させる。そして、掘削壁から所定距離を隔てて型枠パネルを配置し、この型枠パネルを前記連結金具のボルトに連結したセパレータボルトで保持する。連結金具のボルトが防水シートを貫通する部分は、ゴムパッキンや防水シートに塗着したベントナイトなどの防水剤で止水する。そして、型枠パネルと防水シートの間にコンクリートを流し込み、コンクリート硬化後、型枠パネルを取外してコンクリート壁を造る。
【０００４】
上記工法で使用する連結金具として、従来２種類のものが使用されていた。第１は、特許文献１に記載のもので、座板の中央にセパレータボルトと同径のボルトを立設したものである。この構造の場合、止水用のゴムパッキンはボルトに螺合した長ナットで押え、その長ナットの反対端にセパレータボルトを連結する。第２は、座板に中空孔にネジを設けた中空ボルトを立設したもので、この構造の場合、止水用のゴムパッキンは、中空ボルトの外周ネジに螺合したナットで押え、セパレータボルトは、中空孔のネジにねじ込んで連結する。
【特許文献１】特開平８−２４６４８６号公報
【発明の開示】
【発明が解決しようとする課題】
【０００５】
上述した連結金具のボルトは、溶接により座板に立設されている。型枠パネルを保持するセパレータボルトには、コンクリート打ち込み時に大きな張力が作用するので、この張力に耐えるようセパレータボルトは焼入れした鋼材で製作されている。セパレータボルトの張力は、連結金具を介して鋼材に伝達されるので、連結金具にもセパレータボルトと同等の強度が必要であり、特許文献１の構造のものでは、座板に立設するボルトとしてセパレータボルトと同様な焼入れした鋼材を用いる必要がある。
【０００６】
ところが、ボルトを座板に溶接するときに作用する熱により、ボルトの焼きが戻ってしまうので、その後再度ボルトの焼入れを行わなければならず、金具がコスト高になる上、再焼き入れ時に歪みが生ずるという欠点がある。
【０００７】
一方、ボルトとして中空ボルトを使う構造は、当該中空ボルトの断面積をセパレータボルトの断面積より大きくできるので、焼入れしない材料で製造することができ、ボルトの太さも太いので、溶接部の強度も十分に高くできる。しかし、中空ボルトは、先端部の外径も大きいために、掘削壁に防水シートを添設するとき、連結金具のボルトを防水シートに挿通する作業が困難になるという問題があった。
【０００８】
そこで、この発明は、連結金具のボルトを防水シートに挿通する作業が容易で、かつ座板にボルトを立設するときに、溶接の熱によってボルトの焼きが戻ることのない構造のセパレータボルト連結金具を得ることを課題としている。
【課題を解決するための手段】
【０００９】
この発明の連結金具では、セパレータボルト１４と等しい呼び径のナット２を座板１に溶接して、そのナットにセパレータボルトと同径の焼入れ鋼材で製作したスタッド３を螺合して立設することにより、上記課題を解決している。防水シート１３の貫通部に設ける止水用のゴムパッキンは、スタッド３を挿通する内孔５ａとナット２を囲むように形成されたラッパ状の拡開部５ｂと、この拡開部の大径側端部から平面に広がる押え面５ｃとをプレス成形により形成したパッキン押え５で固定する。
【００１０】
すなわち、本願の請求項１の発明に係るセパレータボルト連結金具は、土留用の鋼杭に溶接される座板１と、この座板の中央に端面を溶接されたナット２と、このナットに螺合されるスタッド３と、プレス成形したパッキン押え５とを備え、このパッキン押えは、前記スタッドに挿通される内孔５ａと、前記ナットを包囲する拡開部５ｂと、この拡開部の大径端から平面に展開して前記座板に対向する押え面５ｃとを備えていることを特徴とするものである。
【００１１】
上記構造の連結金具は、掘削壁に設けた矢板などの鋼杭１２に座板１を溶接し、この鋼杭の内側に添設される防水シート１３に連結金具のスタッド３及びナット２を貫通し、この貫通部分にゴムパッキン４を挿通して、更にパッキン押え５を挿通し、スタッド３に長ナット６を螺合してパッキン押え５及びゴムパッキン４を締め付ける。そして、セパレータボルト１４の端部を長ナット６に螺合して連結する。
【発明の効果】
【００１２】
この発明のセパレータボルト連結金具は、スタッド３が座板１に溶接したナット２に螺合して立設されているので、スタッド３の焼きが戻ることがなく、また、外径の大きなナット２で座板１に溶接されるので、溶接部の強度も十分に高くできる。そして、防水シートにナット２を貫通するときは、防水シートがスタッド３とナット２の２段階の貫通動作で挿通されるので、押し付け力によって防水シート１３を破ってスタッド３及びナット２を貫通させるのが容易である。更に長ナット６によるパッキン押え５の締付力が、拡開部５ｂを介して径の大きくなった位置でゴムパッキン４及び防水シート１３を締め付けるため、防水シート１３の貫通部からの漏水をより完全に防止することができる。
【００１３】
従って、この発明により、作業性と止水性に優れたセパレータボルト連結金具を安価に提供することができるという効果がある。
【発明を実施するための最良の形態】
【００１４】
以下、図面を参照してこの発明の実施形態を説明する。図１は、この発明の連結金具の一例を示す分解斜視図、図２は、図１の連結金具で鋼杭とセパレータボルトを連結した部分の断面図である。
【００１５】
図１において、１は座板、２は座板１の中央に端部を溶接Ｗされたナット、３はナット２に基端を螺合して植立したスタッド、４は止水用のゴムパッキン、５は板金をプレス成形して製作したパッキン押え、６は長ナットである。
【００１６】
座板１はプレスで正方形に打ち抜かれた軟鋼板からなる。ナット２は、軟鋼材製で、広く用いられている六角断面のものを用れば、コストの点で有利である。ナット２は、その一端を隅肉溶接Ｗにより座板１の中央に溶接されている。スタッド３は、この連結金具に連結するセパレータボルトと同径で、焼入れ鋼材で製作されている。ゴムパッキン４はリング状のゴム板で、この種の連結金具に通常用いられているものである。パッキン押え５は、軟鋼板をプレスで打ち抜き及び絞り成形したもので、中央にスタッド挿通用の内孔５ａを有するリング状の円板の内径側をラッパ状ないし椀状に絞り成形して拡開部５ｂを形成してあり、外周側は平板状の押え面となっている。長ナット６は、セパレータボルトなどの連結のために、一般的に用いられているものである。
【００１７】
上記構造の連結金具１０は、座板１の周縁部を隅肉溶接Ｗにより、地下や地表の段差部にに形成された掘削壁１１の土止め用の鋼杭１２に溶接して固定される。掘削壁１１には、コンクリート打設部への地下水の流入を防止する防水シート１３が添設されており、この防水シート１３は、連結金具のスタッド及びナット２を貫通して取り付けられる。防水シート１３を貫通した後、ゴムパッキン４をナット２の根元部分まで挿入し、更にパッキン押え５をスタッド３に挿通して、スタッド３に螺合した長ナット６でパッキン押え５の内径側端部を締結する。
【００１８】
長ナット６によるパッキン押え５の締結力は、拡開部５ｂから押え面５ｃに伝達され、押え面５ｃは座板１との間で防水シート１３とゴムパッキン４とを締め付ける。防水シート１３の掘削壁１１側を向く面にはベントナイトなどの防水層が塗着されており、これが座板１との間で締め付けられることによって、防水シート１３のナット貫通部分からの漏水が防止される。セパレータボルト１４の基端は、パッキン押え５を締め付けている長ナット６の反対側の端部から螺入されて連結され、このセパレータボルト１４の反対側の端部によってコンクリート壁の内壁面を成形する型枠パネル１５が固定される。
【図面の簡単な説明】
【００１９】
【図１】ゴムパッキンと長ナットとを含んで示す連結金具の分解斜視図
【図２】図１の連結金具による鋼杭とセパレータボルトとの連結部の断面図
【符号の説明】
【００２０】
１  座板
２  ナット
３  スタッド
5a,b,c  パッキン押え
【図１】
2006299561.tif 000003
【図２】
2006299561.tif 000004